(57)【要約】【課題】  外装材をタイル調にグレードアップさせるにあたって、タイルの端部の納まりを良くするトリム材を窓枠に簡易且つ強固に取り付けて、施工の信頼と安全性を容易に高めること。【解決手段】  窓枠２よりも屋外側Ｂに突出するタイル４の端部をトリム材６で隠す。窓枠２の縁部の長手方向に延設された上下の係止爪部８と、トリム材６の長手方向Ｃに延設された上下の引掛け部１０とで係止手段５Ａを構成する。引掛け部１０の一部に切欠部を設ける。トリム補助材５Ｂは、トリム材６の切欠部と対向する係止爪部８間にビス固定される窓枠側固定部１１と、窓枠側固定部１１に設けられて係止爪部８に位置決め保持される位置決め保持部１２と、窓枠側固定部１１よりも屋外側Ｂに突出してトリム材６にビス固定されるトリム材側固定部１３とで構成される。【選択図】        図１
2006328820.tif 000002
【特許請求の範囲】
【請求項１】
窓の開口に窓枠が嵌め込まれ、窓枠の周辺の外装材表面に化粧用のタイルが張付けられていると共に、窓枠の縁部に、取付手段により窓枠の巾寸法を拡張するための長尺状のトリム材が取り付けられ、窓枠よりも屋外側に突出するタイルの端部をトリム材にて隠すようにした拡巾用窓枠部材において、前記取付手段は、窓枠にトリム材を引掛けて係止する係止手段と、窓枠とトリム材とを相互に固定するトリム補助材とを備え、前記係止手段は、窓枠の巾方向と直交する長手方向に延設された上下の係止爪部と、トリム材の長手方向に延設されて前記係止爪部に引っ掛け係止される上下の引掛け部とで構成されると共に、前記引掛け部の一部に係止爪部と対向する切欠部が切欠形成されており、前記トリム補助材は、前記トリム材の切欠部と対向する窓枠の係止爪部間にビス固定される窓枠側固定部と、窓枠側固定部に設けられて係止爪部に対して位置決め保持される位置決め保持部と、窓枠側固定部よりも屋外側に突出してトリム材にビス固定されるトリム材側固定部とで構成されていることを特徴とする拡巾用窓枠部材。
【発明の詳細な説明】
【技術分野】
【０００１】
本発明は、拡巾用窓枠部材に関し、詳しくは標準タイプの窓枠の巾寸法を拡張するするための技術に関するものである。
【背景技術】
【０００２】
従来から、外装材３の改築或いは新築に際して、例えば、図６に示すように、外装材３の表面に化粧用のタイル４を張付けて、外装材３全体をタイル調に変えることによってグレードアップすることが一般に行なわれている（例えば、特許文献１参照）。
【０００３】
また、従来の開口１に嵌め込まれる標準タイプの窓枠２は、外装材３の表面より屋外側Ｂに突出して配置され、この外装材３の端部と窓枠２との隙間にコーキング剤１４を充填すると共に、防水テープ１５を張付けることで水密性を確保している。しかし、外装材３の表面に張付けたタイル４が窓枠２よりも屋外側Ｂに突出しているため、タイル４の端部４ａの納まりが悪いという問題がある。
【０００４】
そこで本発明者らは本発明に至る過程で、図２に示すように、標準タイプの窓枠２の周縁部に、係止手段５Ａにより窓枠２の巾寸法Ｍを拡張するための長尺状のトリム材６を引掛け、窓枠２よりも屋外側Ｂに突出するタイル４の端部４ａを巾寸法Ｎのトリム材６にて隠すようにした拡巾用窓枠部材７を考えた。
【０００５】
ところが、トリム材６を引掛けて窓枠２に係止させる構造では、施工が簡易である反面、強度的に弱く、特にトリム材６に体重をかけたり、或いは台風などの強風によってトリム材６に外力がかかった場合には、係止が外れてトリム材６が窓枠２から外れるおそれがあった。
【特許文献１】特開平８−８６０８３号公報
【発明の開示】
【発明が解決しようとする課題】
【０００６】
本発明は上記の従来の問題点に鑑みて発明したものであって、外装材をタイル調にグレードアップさせるにあたって、タイルの端部の納まりを良くするためのトリム材を窓枠に対して簡易且つ強固に取り付けることができ、施工の信頼と安全性を容易に高めることができる拡巾用窓枠部材を提供することを課題とするものである。
【課題を解決するための手段】
【０００７】
前記課題を解決するために本発明に係る拡巾用窓枠部材にあっては、窓の開口１に窓枠２が嵌め込まれ、窓枠２の周辺の外装材３表面に化粧用のタイル４が張付けられていると共に、窓枠２の縁部に、取付手段５により窓枠２の巾寸法Ｍを拡張するための長尺状のトリム材６が取り付けられ、窓枠２よりも屋外側Ｂに突出するタイル４の端部をトリム材６にて隠すようにした拡巾用窓枠部材において、前記取付手段５は、窓枠２にトリム材６を引掛けて係止する係止手段５Ａと、窓枠２とトリム材６とを相互に固定するトリム補助材５Ｂとを備え、前記係止手段５Ａは、窓枠２の巾方向Ｄと直交する長手方向Ｃに延設された上下の係止爪部８と、トリム材６の長手方向Ｃに延設されて前記係止爪部８に引っ掛け係止される上下の引掛け部１０とで構成されると共に、前記引掛け部１０の一部に係止爪部８と対向する切欠部９が切欠形成されており、前記トリム補助材５Ｂは、前記トリム材６の切欠部９と対向する窓枠２の係止爪部８間にビス固定される窓枠側固定部１１と、窓枠側固定部１１に設けられて係止爪部８に対して位置決め保持される位置決め保持部１２と、窓枠側固定部１１よりも屋外側Ｂに突出してトリム材６にビス固定されるトリム材側固定部１３とで構成されていることを特徴としている。
【０００８】
このような構成とすることで、外装材３をタイル調にグレードアップする場合において、タイル４の端部４ａの納まりを良くするためのトリム材６を窓枠２に対して係止とビス固定とによって簡易且つ強固に取り付けることができるので、例えばトリム材６に体重をかけたり、或いは台風などの強風によってトリム材６に外力がかかった場合でも、係止が外れてトリム材６が窓枠２から外れてしまうおそれがない。また、トリム材６の引掛け部１０の一部に設けた切欠部９を利用して、トリム補助材５Ｂの窓枠側固定部１１を窓枠２に対してビス固定できるので、トリム補助材５Ｂがトリム材６と窓枠２との係止の妨げになることがなく、そのうえ、トリム補助材５Ｂを窓枠２にビス固定する際には、位置決め保持部１２によってトリム補助材５Ｂが窓枠２に位置決め保持されているため、窓枠２へのトリム補助材５Ｂのビス固定作業が容易となる。
【発明の効果】
【０００９】
本発明は、トリム補助材を用いてトリム材を窓枠に対して係止とビス固定とによって簡易且つ強固に取り付けることができるので、例えばトリム材に体重をかけたり、或いは台風などの強風によってトリム材に外力がかかった場合でも、係止が外れてトリム材が窓枠から外れてしまうおそれがなくなり、施工の信頼性を高めて安全確保を図ることができる。またトリム材の引掛け部の一部に係止爪部と対向する切欠部を設け、この切欠部を利用してトリム補助材の窓枠側固定部を窓枠に対してビス固定できるようにしたので、トリム補助材がトリム材と窓枠との係止の妨げになることがなく、そのうえ、トリム補助材を窓枠にビス固定する際に位置決め保持部によってトリム補助材が窓枠に位置決め保持されるため、施工性を容易に高めることができる。
【発明を実施するための最良の形態】
【００１０】
以下、本発明を添付図面に示す実施形態に基いて説明する。
【００１１】
図１は本発明の拡巾用窓枠部材７の一例を示す側面図であり、図２は拡巾用窓枠部材７を建物の窓の開口１に適用した場合の一例を示す側面断面図である。
【００１２】
窓の開口１には標準タイプの窓枠２が嵌め込まれ、この窓枠２の周辺の外装材３表面には、化粧用のタイル４が張付けられている。本例では図３に示すように、窓枠２の上下両側には、縦平タイルと称されるタイル４が張付けられている。また、窓枠２の上下左右の縁部には、それぞれ、取付手段５により窓枠２の巾寸法Ｍを拡張するための長尺状のトリム材６が取り付けられている。トリム材６の巾寸法Ｎによって、窓枠２よりも屋外側Ｂに突出するタイル４の上端部４ａをトリム材６にて隠すことができる。これら窓枠２とトリム材６と取付手段５とで、拡巾用窓枠部材７が構成されている。なお、図２に示す窓枠２と外装材３との隙間をコーキング剤１４にて防水処理する点、及びタイル４と外装材３との隙間に防水テープ１５を貼着する点は、従来と同様である。
【００１３】
以下、窓枠２の下縁部２ａに取り付けられる長尺状のトリム材６について説明する。
【００１４】
先ず、窓枠２の下縁部２ａには、図２に示すように、窓枠２の巾方向Ｄと直交する長手方向Ｃ（図２の紙面に対して垂直方向）に沿って上下の係止爪部８が延設されている。上側の係止爪部８の先端は下方に屈曲し、下側の係止爪部８の先端は上方に屈曲しており、この係止爪部８間がトリム補助材５Ｂの取付け面となっている。
【００１５】
一方、長尺状のトリム材６は、タイル４の外観を向上させる見切り材としての機能と、雨水をタイル４よりも屋外側Ｂに向けて流下させる水切り材としての機能を併せ持っている。本例ではトリム材６は、長尺状樹脂成形品からなり、図１に示すように、水勾配を有する上辺部６ａと、上辺部６ａの先端から垂下する垂下部６ｃと、上辺部６ａの下方に配置される略水平な下辺部６ｂと、上辺部６ａと下辺部６ｂとを補強する補強部６ｄとが一体形成されている。上辺部６ａ及び下辺部６ｂの窓枠２側の端部には、それぞれ、トリム材６の長手方向Ｃに沿って上下一対の引掛け部１０が設けられている。上側の引掛け部１０の先端は下方にＬ字状に屈曲し、下側の引掛け部１０の先端は上方に逆Ｌ字状に屈曲しており、トリム材６を窓枠２の下縁部２ａに押し付けることで、上下の引掛け部１０が上下の係止爪部８に弾発的に係止した状態となる。これら引掛け部１０と係止爪部８とで係止手段５Ａが構成されている。
【００１６】
さらに、引掛け部１０の一部には、窓枠２の係止爪部８と対向する切欠部９が切欠形成されている。ここにおいては、図４に示すように、上下複数対の引掛け部１０と上下複数対の切欠部９とがトリム材６の長手方向Ｃに交互に設けられている。
【００１７】
さらに、上記トリム材６を窓枠２の下縁部２ａにビス固定する手段として、窓枠２の下縁部２ａとトリム材６とを相互に固定するトリム補助材５Ｂが用いられる。トリム補助材５Ｂは、図５に示すように、トリム材６の切欠部９と対向する窓枠２の係止爪部８間にビス固定される窓枠側固定部１１と、窓枠側固定部１１の上下両端からＬ字状に屈曲する位置決め保持部１２と、窓枠側固定部１１よりも屋外側Ｂに突出してトリム材６にビス固定されるトリム材側固定部１３と、窓枠側固定部１１とトリム材側固定部１３とを連結する傾斜部１６とが一体に構成されている。ここで、窓枠側固定部１１の横巾寸法Ｆはトリム材６の切欠部９の横巾寸法Ｇ（図４）よりも短く設定されており、これによりトリム材６の切欠部９の内側に窓枠側固定部１１が挿入可能となっている。なお、窓枠側固定部１１の縦寸法Ｗは、その上下両端が上下の切欠部９にそれぞれ達する寸法とされる。
【００１８】
次に、トリム材６を窓枠２に取り付ける手順の一例を説明する。
【００１９】
先ず、図１に示すように、トリム補助材５Ｂの窓枠側固定部１１を窓枠２の下縁部２ａの係止爪部８間に挿入して、窓枠側固定部１１に設けたビス穴１７（図５）を窓枠２の下縁部２ａに設けたビス穴１８（図１）に位置合わせする。このとき、窓枠側固定部１１の上下両端に設けたＬ字状の位置決め保持部１２が係止爪部８にそれぞれ嵌合することによって、窓枠側固定部１１が窓枠２に対して位置決め保持された状態となる。この状態で、ビス１９をビス穴１７，１８に締結することにより、トリム補助材５Ｂを窓枠２に対してビス固定できる。その後、トリム材６の切欠部９とトリム補助材５Ｂの窓枠側固定部１１とを位置合わせした状態で、トリム材６を窓枠２の下縁部２ａに向かって図１の矢印Ａ方向から木片３０等で叩き込む。これにより、トリム材６の引掛け部１０が窓枠２の係止爪部８に当たり、引掛け部１０が変形による弾発力によって係止爪部８に係止された状態（図２の状態）となる。このとき、トリム補助材５Ｂの窓枠側固定部１１がトリム材６の切欠部９に挿入されると共に、トリム材側固定部１３がトリム材６の下辺部６ｂの内面に沿って挿入されて、トリム材側固定部１３に設けたビス穴２０（図５）がトリム材６の下辺部６ｂに設けたビス穴２１（図４）に位置合わせされた状態となり、下方からビス２２（図１）をビス穴２０，２１に締結することにより、トリム材６をトリム補助材５Ｂに対してビス固定できる。これにより、窓枠２の下縁部２ａに対するトリム材６の取り付けが完了する。ここにおいて図１は、図４の破断線Ｒから見たトリム材６の引掛け部１０と窓枠２の係止爪部８との係止部分の断面図であり、図２は、図４の破断線Ｓから見たトリム補助材５Ｂと窓枠２とトリム材６とのビス固定部分の断面図である。なお、窓枠２の上縁部２ｂ及び左右両側の側縁部にトリム材６を取り付ける場合も、同様にして行なうことができる。
【００２０】
しかして、外装材３の表面にタイル４を張付ける場合において、タイル４が窓枠２よりも屋外側Ｂに突出しても、トリム材６にてタイル４（縦平タイル）の端部４ａを隠すことができるので納まりが良好となり、しかも標準タイプの窓枠２をそのまま使用して、新築、改築を問わず、外装材３をタイル調にグレードアップすることができる。
【００２１】
また、トリム材６の引掛け部１０の一部に設けた切欠部９を利用して、トリム補助材５Ｂの窓枠側固定部１１を窓枠２に対してビス固定し、且つ、トリム材側固定部１３をトリム材６の下辺部６ｂの内面に沿わせてビス固定しているので、トリム補助材５Ｂがトリム材６と窓枠２との係止の妨げになることがない。しかも、トリム補助材５Ｂは外部から見えることがなく、納まりが良好になる。そのうえ、トリム補助材５Ｂを窓枠２にビス固定する際には、位置決め保持部１２によってトリム補助材５Ｂが窓枠２に位置決め保持され且つビス穴１７，１８が位置合わせされるため、窓枠２へのトリム補助材５Ｂのビス固定作業が容易となり、一方、トリム材６をトリム補助材５Ｂにビス固定する際には、トリム補助材５Ｂは既に窓枠２にビス固定され且つビス穴２０，２１が位置合わせされされているため、トリム補助材５Ｂへのトリム材６のビス固定作業も容易となる。この結果、トリム補助材５Ｂを窓枠２及びトリム材６にビス固定する作業と、トリム材６を窓枠２に引掛け係止する作業と、トリム材６をトリム補助材５Ｂにビス固定する作業とを、それぞれスムーズに行なえるようになる。さらに、係止とビス固定とによってトリム材６を窓枠２に対して簡易且つ強固に取り付けることができるので、例えばトリム材６に体重をかけたり、或いは台風などの強風によってトリム材６に外力がかかった場合でも、係止が外れてトリム材６が窓枠２から外れてしまうおそれがなくなり、施工の信頼性を高めて安全確保を図ることができる。そのうえ、トリム材６の上辺部６ａは水勾配を有するので、タイル４の見栄えを良くするだけでなく、水切り性能が向上する利点もある。
【図面の簡単な説明】
【００２２】
【図１】本発明の一実施形態の拡巾用窓枠部材を示す側面図である。
【図２】同上の拡巾用窓枠部材を窓の開口に適用した場合の一例を示す側面断面図である。
【図３】同上の拡巾用窓枠部材が取り付けられた窓周辺の正面図である。
【図４】同上のトリム材の斜視図である。
【図５】同上のトリム補助材の斜視図である。
【図６】従来例の説明図である。
【符号の説明】
【００２３】
１  開口
２  窓枠
３  外装材
４  タイル
５  取付手段
５Ａ  係止手段
５Ｂ  トリム補助材
６  トリム材
７  拡巾用窓枠部材
８  係止爪部
９  引掛け部
１０  切欠部
１１  窓枠側固定部
１２  位置決め保持部
１３  トリム材側固定部
Ｂ  屋外側
Ｃ  長手方向
Ｍ  窓枠の巾寸法
【図１】
2006328820.tif 000003
【図２】
2006328820.tif 000004
【図３】
2006328820.tif 000005
【図４】
2006328820.tif 000006
【図５】
2006328820.tif 000007
【図６】
2006328820.tif 000008